(57)【要約】【課題】撚られた２・３本のＤＶ線を解かずにそのまま掛け引き留めるようにして、面倒な作業を省き、作業性の向上を図ったＤＶ線引留具を提供する。【解決手段】所定長さの基体部１に電線引込側ａから電線引出側ｂに亘る長手方向沿って電線Ｄを掛ける少なくとも３個の掛止凹溝２ａ，２ｂ，２ｃを列設し、各掛止凹溝は基体部の長手方向と同一平面内で直交する一端側が交互に反対向きとなるように開放され、電線引出側ｂに位置する掛止凹溝２ｃを除き他の掛止凹溝２ａ，２ｂの開放口４ａ，４ｂには掛けられたＤＶ線Ｄの外れを防ぐ抜止片部５ａ，５ｂを突設し、電線引出側ｂ端の掛止凹溝２ｃとこれに隣接する掛止凹溝２ｂとの間の基体部１に取付孔７を貫設し、線材を二つ折りした互いの先端部が接離自在に接しかつ電線引出側ｂ端の掛止凹溝２ｃの開放口４ｃを横断して塞ぐ引留金具９を取付孔７に挿通した。【選択図】図６
2009225604.tif 000002
【特許請求の範囲】
【請求項１】
所定長さの基体部にその電線引込側から電線引出側に亘る長手方向沿って電線を掛ける少なくとも３個の掛止凹溝を列設し、前記各掛止凹溝は前記基体部の長手方向と同一平面内で直交する一端側が交互に反対向きとなるように開放され、前記電線引出側に位置する掛止凹溝を除き他の掛止凹溝の前記開放口には掛けられた電線の外れを防ぐ抜止片部を突設し、前記電線引出側端の掛止凹溝とこれに隣接する掛止凹溝との間の基体部に取付孔を貫設し、線材を二つ折りしてその互いの先端部が接離自在に接しかつ前記電線引出側端の掛止凹溝の開放口を横断して塞ぐ引留金具を前記取付孔に挿通したことを特徴とするＤＶ線引留具。
【発明の詳細な説明】
【技術分野】
【０００１】
本発明は、電柱間に架設した電線から分岐され各家屋等の建物に引き込む際に使用される電線引込用のＤＶ線引留具に関するものである。
【背景技術】
【０００２】
従来、この種のＤＶ線引留具としては、特許文献１に示すような本出願人の出願に係るものが一般的に使用されている。このＤＶ線引留具は、所定長さの基体部における長手方向に沿った両端部の両外側面にそれぞれ先端に庇部が張設された突起を設け、前記各庇部とこれらと対向する前記基体部の外側面との間に電線であるＤＶ線を掛けるための掛止凹溝を設けて構成されている（例えば、特許文献１参照。）。一方、ＤＶ線は、通常、２又は３本の電線を緩く撚って束にした状態で架設される。
【０００３】
そこで、前記ＤＶ線をＤＶ線引留具に引き留めるには、基体部の一側に取着された引留金具を例えば建物の軒下に掛け止めする。また、前記ＤＶ線であってＤＶ線引留具が配置される部位の電線の撚りを戻し、これら撚りの戻された電線をＤＶ線引留具の電線引込側から引き込み、基体部両側に設けられた各掛止凹溝にそれぞれ８の字を描くように巻き付けてから電線引出側（建物側）へ引き出すようにしている。
【０００４】
【特許文献１】実開昭５５−９３９２０号公報（第１頁、図２−図４）
【発明の開示】
【発明が解決しようとする課題】
【０００５】
このように、前記ＤＶ線引留具にＤＶ線を引き留めるには、撚られた電線を所定の範囲に亘り解いて、しかも、基体部の両側の各掛止凹溝にそれぞれ８の字を描くように巻回させなければならない。しかしながら、通常のＤＶ線は非常に硬く、しかも、弾力性が有って曲がり難いため、前記ＤＶ線の引留作業には苦労が多く面倒な作業を強いられており、この点に関し改良すべき点が有った。
【０００６】
そこで、本発明は前記課題に鑑みてなされたもので、撚られた２本又は３本のＤＶ線を解かずにそのまま掛け簡単に引き留められるようにして、苦労が多く面倒な作業を省き、作業性の向上を図るようにしたＤＶ線引留具を提供することを目的とするものである。
【課題を解決するための手段】
【０００７】
かかる目的を達成するために本発明に係るＤＶ線引留具は、所定長さの基体部にその電線引込側から電線引出側に亘る長手方向沿って電線を掛ける少なくとも３個の掛止凹溝を列設し、前記各掛止凹溝は前記基体部の長手方向と同一平面内で直交する一端側が交互に反対向きとなるように開放され、前記電線引出側に位置する掛止凹溝を除き他の掛止凹溝の前記開放口には掛けられた電線の外れを防ぐ抜止片部を突設し、前記電線引出側端の掛止凹溝とこれに隣接する掛止凹溝との間の基体部に取付孔を貫設し、線材を二つ折りしてその互いの先端部が接離自在に接しかつ前記電線引出側端の掛止凹溝の開放口を横断して塞ぐ引留金具を前記取付孔に挿通したことを特徴とする。
【０００８】
このＤＶ線引留具における基体部は、通常、その素材として碍子が使用されるが、軽量化又は取り扱い易さという点から合成樹脂材を使用するようにしても良い。
【発明の効果】
【０００９】
本発明に係るＤＶ線引留具は、所定長さの基体部にその電線引込側から電線引出側に亘る長手方向沿って電線を掛ける少なくとも３個の掛止凹溝を列設し、各掛止凹溝は基体部の長手方向と同一平面内で直交する一端側が交互に反対向きとなるように開放され、電線引出側に位置する掛止凹溝を除き他の掛止凹溝の開放口には掛けられた電線の外れを防ぐ抜止片部を突設し、電線引出側端の掛止凹溝とこれに隣接する掛止凹溝との間の基体部に取付孔を貫設し、線材を二つ折りしてその互いの先端部が接離自在に接しかつ電線引出側端の掛止凹溝の開放口を横断して塞ぐ引留金具を前記取付孔に挿通してなる。そして、側方の開放口を介し電線引込側から各掛止凹溝に２本又は３本の電線を束ねたままのＤＶ線を挿通して掛ける。また、電線引出側端の掛止凹溝にあっては、引留金具の先端部を離してその両端開放部から前記束ねたままのＤＶ線を引き込んで掛止凹溝に挿通して掛ける。このように、本発明に係るＤＶ線引留具は、２本又は３本の電線を束ねたＤＶ線をそのまま掛けられるようにしたので、従来のような面倒な作業が払拭され、その引留作業が格段に簡単になり作業能率が向上するという有益な効果がある。また、作業が簡単に行なえることから高所で行なわれる場合、安全性も向上するという効果もある。
【発明を実施するための最良の形態】
【００１０】
以下、本発明に係るＤＶ線引留具の実施の形態を図面と共に説明する。このＤＶ線引留具Ａは、低圧引込線に使用されるものである。図１は本発明に係るＤＶ線引留具の上から見た斜視図、図２は同正面図、図３は同平面図、図４は図３のＸ−Ｘ線断面図である。ＤＶ線引留具Ａは、合成樹脂材により成形されるが、これは軽量化を図ったものであって、差し支えなければ碍子により一体に成形するようにしても良い。
【００１１】
該ＤＶ線引留具Ａは、所定長さ（例えば、１５０ｍｍ）の基体部１を有する。該基体部１は、その長手方向と直交する断面形状が横長の略長方形状をなす。そして、該基体部１には、電線である後記するＤＶ線Ｄを掛けるため、その電線引込側ａから電線引出側ｂに亘る長手方向に沿って順に３個の第一乃至第三掛止凹溝２ａ，２ｂ，２ｃが列設されている。この実施の形態では、第一乃至第三掛止凹溝２ａ，２ｂ，２ｃを３個設けたが、必要であれば４個、５個、６個、７個、８個と個数を増やしても良い。
【００１２】
前記電線引込側ａの第一掛止凹溝２ａは、基体部１の上下面１ａ，１ｂに亘り貫設しており、しかも、長手方向で対向する内面３ａ，３ｂが下方に進むに従い互いに窄まるテーパ面に形成される。その内、電線引込側ａの内面３ａの上面１ａに対する傾斜角度が、対向する内面３ｂの同じく上面１ａに対する傾斜角度よりも緩やかになっている。これにより、第一掛止凹溝２ａの上面１ａでの口の大きさは、下面１ｂでの口の大きさよりも大きくなる。また、該第一掛止凹溝２ａは、基体部１の長手方向と同一水平面内で直交する一端側、すなわち、電線引出側ｂから基体部１を平面的に見た場合の右側面１ｃ側が開放され、第一掛止凹溝２ａと連なる開放口４ａが形成される。更に、その一側であり電線引込側ａの前記緩い傾斜面である内面３ａに対応して、該内面３ａと直交する抜止片部５ａが突設される。第一掛止凹溝２ａの対向する内面３ａ，３ｂと上・下面１ａ，１ｂとのなす角部は角張って形成される。
【００１３】
中間位置の第二掛止凹溝２ｂも、基体部１の上下面１ａ，１ｂに亘り貫設しており、しかも、長手方向で対向する内面６ａ，６ｂは共に下方に進むに従い電線引込側ａに傾斜している。その内、電線引出側ｂの内面６ｂの上面１ａに対する傾斜角度が、対向する内面６ａの同じく上面１ａに対する傾斜角度よりも緩やかになっている。これにより、第二掛止凹溝２ｂの上面１ａでの口の大きさは下面１ｂでの口の大きさよりも大きくなる。また、該第二掛止凹溝２ｂは、基体部１の長手方向と同一水平面内で直交する一端側、すなわち電線引出側ｂから基体部１を平面的に見た場合の左側面１ｄ側が開放され、第二掛止凹溝２ｂと連なる開放口４ｂが形成される。更に、その一側であり電線引出側ｂの前記緩い傾斜面である内面６ｂに対応して、該内面６ｂと直交する抜止片部５ｂが突設される。この場合も、第二掛止凹溝２ｂの対向する内面６ａ，６ｂと上・下面１ａ，１ｂとのなす角部は角張って形成される。
【００１４】
前記電線引出側ｂの第三掛止凹溝２ｃも、基体部１の上下面１ａ，１ｂに亘り貫設している。該第三掛止凹溝２ｃは、基体部１の長手方向と同一水平面内で直交する一端側、すなわち、電線引出側ｂから基体部１を平面的に見た場合の右側面１ｃ側が開放され、第三掛止凹溝２ｃと連なる開放口４ｃが形成される。このようにして、基体部１にその電線引込側ａから電線引出側ｂに亘る長手方向に沿ってＤＶ線Ｄを掛ける少なくとも３個の第一乃至第三掛止凹溝２ａ，２ｂ，２ｃが列設される。また、前記各第一乃至第三掛止凹溝２ａ，２ｂ，２ｃは、基体部１の長手方向と同一平面内で直交する一端側が交互に反対向きとなるように開放される。
【００１５】
更に、前記電線引出側ｂ端の第三掛止凹溝２ｃとこれに隣接する第二掛止凹溝２ｂとの間の基体部１に、上面１ａ又は下面１ｂと平行な取付孔７が貫設されている。該取付孔７の電線引出側ｂには、該取付孔７と連なり、かつ、第三掛止凹溝２ｃの周囲を囲うように平面略半円形状の引掛溝８が凹設されている。この取付孔７には、ＤＶ線引留具Ａを後記する家屋Ｈ側へ固定するための引留金具９が挿通される。
【００１６】
前記引留金具９は、金属（ステンレス）製の線材からなり、基端側を水平面内で前記取付孔７に挿通できる程度に半円状に湾曲させている。また、該半円状部１０ａの両端から延設される両長杆１１，１１の中間位置から先端側を、互いに離れるように外側へ少し屈曲させる。また、それら先端に、前記半円状部１０ａが含まれる水平面に対し直交する鉛直面内で互いに逆方向へ湾曲する小半円状部１０ｂが形成される。そして、両長杆１１，１１の先端部が開いた状態では、両小半円状部１０ｂ，１０ｂが離れており、両小半円状部１０ｂ，１０ｂを近づけると共に互いに位置を入れ替えると、その線材の弾性が働き互いに接して引留金具９が一連に連なった状態となる。
【００１７】
そして、両長杆１１，１１先端部の両小半円状部１０ｂ，１０ｂを離してその間を開いた状態で、一方の長杆１１を取付孔７に挿通し、半円状部１０ａを取付孔７内に位置させた状態で両小半円状部１０ｂ，１０ｂを近づけ互いに位置を入れ替えることにより接触させる。これにより、ＤＶ線引留具Ａが組み立てられる。
【００１８】
本発明に係るＤＶ線引留具Ａは上記構成からなり、次にその使用方法を説明する。図５乃至図７に基づき作用を説明する。図５中、Ｈは建物としての家屋であり、その壁側に固着された曲アームＭの先端に前記引留金具９が連結されるようにしてＤＶ線引留具Ａが取り付けられる。電柱（図示せず。）間に架設された電線から分岐される所謂ＤＶ線Ｄが、ＤＶ線引留具Ａに引き留められることになる。なお、この場合、ＤＶ線Ｄは２本引き出されている。
【００１９】
そこで、その手順を説明すると、ＤＶ線引留具Ａにおける引留金具９先端部の両小半円状部１０ｂ，１０ｂを離してその間を開放しておく。更に、図６に示すように引留金具９を基体部１に対してほぼ直交させると共に、その開放側を第三掛止凹溝２ｃの開放口４ｃと一致させておく。次に、基体部１の第一掛止凹溝２ａにその開放口４ａからＤＶ線Ｄを引き入れ、第二掛止凹溝２ｂにその開放口４ｂからＤＶ線Ｄを引き入れる。更に、引留金具９の開放側から第三掛止凹溝２ｃに、その開放口４ｃを介してＤＶ線Ｄを引き入れる。このように、引留金具９の開放側を第三掛止凹溝２ｃの開放口４ｃと一致させてから、その開放口４ｃを介して第三掛止凹溝２ｃにＤＶ線Ｄを引き入れるようにしているのは、常態で引留金具９が第三係止凹溝２ｃの開放口４ｃを横断して塞いでいるので、引留金具９を開かない限り該第三係止凹溝２ｃにＤＶ線Ｄが引き入れられないからである。
【００２０】
第一乃至第三掛止凹溝２ａ，２ｂ，２ｃにＤＶ線Ｄが挿通して掛けられたら、引留金具９の開放側の両小半円状部１０ｂ，１０ｂを近づけると共に互いに位置を入れ替え接触させて引留金具９を一連に連なった状態とする。この引留金具９は、図５に示すように曲アームＭの先端に引き留められる。これにより二本のＤＶ線Ｄが架設される。
【００２１】
この状態で、図７に示すようにＤＶ線Ｄが第一掛止凹溝２ａ、第二掛止凹溝２ｂ、第三掛凹溝２ｃの順に挿通されて掛けられ、正面略Ｎ字状に屈曲し強く曲げられ、しかも、第一・第二掛止凹溝２ａ，２ｂの対向する内面３ａ，３ｂ及び内面６ａ，６ｂと上・下面１ａ，１ｂとのなす角部が角張って形成されていることから、その部位で引っ掛かりＤＶ線Ｄの滑りが少なくなる。よって、ＤＶ線Ｄに強いテンションが掛かっても、その長手方向に沿ってズレたり緩んだりすることがほとんどなく、ＤＶ線Ｄがしっかりと保持される。また、第一・第二掛止凹溝２ａ，２ｂの開放口４ａ，４ｂには抜止片部５ａ，５ｂが突設されているので、第一・第二掛止凹溝２ａ，２ｂからＤＶ線Ｄがその幅方向にズレて第一・第二掛止凹溝２ａ，２ｂから外れるといった虞はない。同様に、第三掛止凹溝２ｃの開放口４ｃは引留金具９により塞がれているので、第三掛止凹溝２ｃからＤＶ線Ｄがその幅方向にズレて第三掛止凹溝２ｃから外れるといった虞もない。
【００２２】
以上のように、本発明に係るＤＶ線引留具Ａは、所定長さの基体部１にその電線引込側ａから電線引出側ｂに亘る長手方向沿ってＤＶ線Ｄを掛ける少なくとも３個の第一乃至第三掛止凹溝２ａ，２ｂ，２ｃを列設している。また、各第一乃至第三掛止凹溝２ａ，２ｂ，２ｃは、基体部１の長手方向と同一平面内で直交する一端側が交互に反対向きとなるように開放され、電線引出側ｂに位置する第三掛止凹溝２ｃを除き他の第一・第二掛止凹溝２ａ，２ｂの開放口４ａ，４ｂには掛けられたＤＶ線Ｄの外れを防ぐ抜止片部５ａ，５ｂを突設している。更に、電線引出側ｂ端の第三掛止凹溝２ｃとこれに隣接する第二掛止凹溝２ｂとの間の基体部１に取付孔７を貫設し、線材を二つ折りしてその互いの先端部が接離自在に接し、かつ、電線引出側ｂ端の第三掛止凹溝２ｃの開放口４ｃを横断して塞ぐ引留金具９を前記取付孔７に挿通している。
【００２３】
そして、側方の各開放口４ａ，４ｂ，４ｃを介し電線引込側ａから各第一乃至第三掛止凹溝２ａ，２ｂ，２ｃに、２本又は３本の電線を束ねたままのＤＶ線Ｄを掛ける。また、電線引出側ｂ端の第三掛止凹溝２ｃにあっては、引留金具９の先端部を離してその開放部から前記束ねたままのＤＶ線Ｄを引き込んで第三掛止凹溝２ｃに掛ける。このように、２本又は３本の電線を束ねたＤＶ線Ｄをそのまま本発明に係るＤＶ線引留具Ａに掛けられるようにしたので、その引留作業が格段に簡単になり従来のような苦労の多い面倒な作業が払拭される。また、これにより作業能率が向上するばかりか作業が簡単に行なえることから、高所で行なわれる場合の安全性も向上する。
【００２４】
なお、図示は省略するが、前記引留金具９には半円状部１０ａ側に合成樹脂製の帯状カバーを被覆することが好ましい。例えば、この帯状カバーは横断面を引留金具９の線材の外形に合わせて半円形状に形成され、該線材の内周面に接着する。特に、引留金具９における第三掛止凹溝２ｃの開放口４ｃを塞ぐ部位の内周面は、帯状カバーによって被覆する必要がある。この部位は、第三掛止凹溝２ｃに挿通して掛けられたＤＶ線Ｄが風などの影響によりその中でズレて接触し易い。よって、仮にその部位が帯状カバーにより被覆されてないと、金属製の線材とＤＶ線の被覆層とが擦れあって、該被複層が破れ芯線を露出させてしまうといった危険性が有るからである。また、帯状カバーは、他に同じ合成樹脂であって筒状に形成しても良い。更には、その材質としてゴムであっても良い。
【図面の簡単な説明】
【００２５】
【図１】本発明に係るＤＶ線引留具の上から見た斜視図。
【図２】同正面図。
【図３】同平面図。
【図４】図３のＸ−Ｘ線断面図。
【図５】同ＤＶ線引留具の使用状態図。
【図６】ＤＶ線を掛ける方法を示す斜視図。
【図７】同使用状態を示す要部の断面図。
【符号の説明】
【００２６】
１              基体部
１ａ            上面
１ｂ            下面
１ｃ            右側面
１ｄ            左側面
２ａ            第一掛止凹溝
２ｂ            第二掛止凹溝
２ｃ            第三掛止凹溝
３ａ            内面
３ｂ            内面
４ａ            開放口
４ｂ            開放口
４ｃ            開放口
５ａ            抜止片部
５ｂ            抜止片部
６ａ            内面
６ｂ            内面
７              取付孔
８              引掛溝
９              引留金具
１０ａ          半円状部
１０ｂ          小半円状部
１１            長杆
Ａ              ＤＶ線引留具
ａ              電線引込側
ｂ              電線引出側
Ｄ              電線（ＤＶ線）
Ｈ              家屋
Ｍ              曲アーム
【図１】
2009225604.tif 000003
【図２】
2009225604.tif 000004
【図３】
2009225604.tif 000005
【図４】
2009225604.tif 000006
【図５】
2009225604.tif 000007
【図６】
2009225604.tif 000008
【図７】
2009225604.tif 000009